(57)【要約】  【課題】  Ｕ字溝へ取付ける際の運搬や取付け作業がし易い、Ｕ字溝への溝蓋の取付け構造を提供する。  【解決手段】  Ｕ字溝１の溝蓋２を受ける蓋受け段部４に取付けたケミカルアンカー５と、このケミカルアンカー５に取付けられたかさ上げ部材７と、このかさ上げ部材７の溝内側に向く側面に設けられた係止部材２５と、前記かさ上げ部材７の上面に着脱可能に取付けられた溝蓋本体６と、この溝蓋本体６に設けられた係合部材１１とを備えて構成されるとともに、前記溝蓋本体６の係合部材１１を前記かさ上げ部材７の係止部材１５に係合させることにより溝蓋本体６をかさ上げ部材７に取付けてなる。  【選択図】        図１
2005188223.tif 000002
【特許請求の範囲】
【請求項１】
Ｕ字溝の溝蓋を受ける蓋受け段部に取付けたアンカーと、このアンカーに取付けられたかさ上げ部材と、このかさ上げ部材の溝内側に向く側面に設けられた係止部材と、前記かさ上げ部材の上面に着脱可能に取付けられた溝蓋本体と、この溝蓋本体に設けられた係合部材とを備えて構成されるとともに、前記溝蓋本体の係合部材を前記かさ上げ部材の係止部材に係合させることにより溝蓋本体をかさ上げ部材に取付けてなることを特徴とするＵ字溝への溝蓋の取付け構造。
【請求項２】
アンカーが、ケミカルアンカ−である請求項１に記載のＵ字溝への溝蓋の取付け構造。
【請求項３】
溝蓋本体が外枠内に主部材と横部材を格子状に形成され、この溝蓋本体に設けられた係合部材が、平行する主部材間の底側外枠寄りに設けられ上下方向の貫通孔を有する補助部材と、この補助部材の貫通孔に回動自在に設けられた回動軸と、この回動軸の底側の端部に設けられた締付け板とを備えてなる請求項１又は２に記載のＵ字溝への溝蓋の取付け構造。
【発明の詳細な説明】
【技術分野】
【０００１】
本発明は、Ｕ字溝への溝蓋の取付け構造に関し、詳細には道路等に設置された側溝、暗渠及び集水ますなどのコンクリート製のＵ字ブロック（Ｕ字溝）の上部開口部への溝蓋の取付け構造に関するものである。
【背景技術】
【０００２】
従来より、道路等の側溝、暗渠及び集水ますなどのＵ字溝は、現場にて型枠を組みコンクリートを打設、あるいはコンクリート工場で予め成形されたＵ字ブロックを連設して構築され、その上部開口部にはコンクリート製の溝蓋や金属製の溝蓋が取付けられている。
【０００３】
ところで、コンクリート製の溝蓋は強度を高めるため厚みが厚く形成されており、このためコンクリート製の溝蓋が取付け可能なＵ字溝では、Ｕ字溝の上部開口の溝幅方向の左右に設けられている溝受け段部の深さが深く形成されている。このようなＵ字溝に鋳鉄製、鋼製又はアルミニウム製などの金属製の溝蓋を適用する場合、当該金属製の溝蓋としては、溝蓋本体の溝幅方向の下面に脚部を一体に形成した溝蓋、あるいは脚部に角パイプを用い溶接あるいはボルト・ナットで結合した溝蓋が用いられ、また溝蓋本体は開口部が多く水はけが良い上に、Ｕ字溝内にごみが詰まっているのが容易に確認できるなどの利点のあるグレーチング（格子）形式のものを用いるが、重量が重く人手による運搬やＵ字溝への取付けが大変な上に、製造コストが高いなどの問題がある（例えば、特開２００１−１１５５４３号公報（特許文献１）、特開２００３−９６８９９号公報（特許文献２）参照）。
【特許文献１】特開２００１−１１５５４３号公報
【特許文献２】特開２００３−９６８９９号公報
【発明の開示】
【発明が解決しようとする課題】
【０００４】
本発明は、上記の問題点を改善するためになしたものであって、その目的は、Ｕ字溝へ取付ける際の運搬や取付け作業がし易い、Ｕ字溝への溝蓋の取付け構造を提供するものである。
【課題を解決するための手段】
【０００５】
上記の目的を達成するために、本発明（請求項１）に係るＵ字溝への溝蓋の取付け構造は、Ｕ字溝の溝蓋を受ける蓋受け段部に取付けたアンカーと、このアンカーに取付けられたかさ上げ部材と、このかさ上げ部材の溝内側に向く側面に設けられた係止部材と、前記かさ上げ部材の上面に着脱可能に取付けられた溝蓋本体と、この溝蓋本体に設けられた係合部材とを備えて構成されるとともに、前記溝蓋本体の係合部材を前記かさ上げ部材の係止部材に係合させることにより溝蓋本体をかさ上げ部材に取付けてなるものである。この場合、アンカーは、コンクリートを打設してＵ字溝を製作する際に埋め込んで設けてもよいし、Ｕ字溝を施行後に、例えばケミカルアンカーなどのように施工後アンカーとして設けるようにしてもよい（請求項２）。
【０００６】
そして、本発明（請求項３）に係るＵ字溝への溝蓋の取付け構造は、上記請求項１又は２のＵ字溝への溝蓋の取付け構造において、溝蓋本体が外枠内に主部材と横部材を格子状に形成され、この溝蓋本体に設けられた係合部材が、平行する主部材間の底側外枠寄りに設けられ上下方向の貫通孔を有する補助部材と、この補助部材の貫通孔に回動自在に設けられた回動軸と、この回動軸の底側の端部に設けられた締付け板とを備えてなるものである。
【発明の効果】
【０００７】
本発明に係るＵ字溝への溝蓋の取付け構造によれば、溝蓋本体とかさ上げ部材はＵ字溝へ取付けるまでは別々に取り扱うことができるので、個々の重量での扱いとなるため、重量を軽くでき、運搬はもとよりＵ字溝への取付けの際の取り扱いも容易となり、運搬や取付けの作業性が大きく改善される。
【０００８】
また加えて、かさ上げ部材は、Ｕ字溝の蓋受け段部にアンカーを介して取付け、このようにして取付けられたかさ上げ部材の係止部材に溝蓋本体の係合部材を係合させることで、溝蓋本体をかさ上げ部材の上面に着脱可能に取付けできるので、溝蓋本体とかさ上げ部材を備える溝蓋がＵ字溝に強固に取付けることができ、溝蓋上を自動車などの車両が走行しても、溝蓋が跳ね上がったり、ガタツクことも防止できる。また、係合部材を係止部材から外すことで溝蓋本体のみをＵ字溝から取外すことができるので、Ｕ字溝内にごみなどが溜まるようなことがあっても掃除が簡単にできる。
【発明を実施するための最良の形態】
【０００９】
以下、本発明の実施形態を図面に基づいて説明する。図１は、本発明に係るＵ字溝への溝蓋の取付け構造の説明図であって、ａは上面図、ｂはａのＸ−Ｘ断面図、図２は、図１のＹ部拡大説明図である。図において、１はＵ字溝、２は溝蓋である。
【００１０】
Ｕ字溝１は、横断面形状が略Ｕ字状に形成されたコンクリート製であって、上部開口３の溝幅方向の左右には溝受け段部４が所定の深さで形成されている。そして、この蓋受け段部４には、所定の間隔で穴が穿設され、当該穴にはケミカル接着剤とアンカーボルトとによって所謂ケミカルアンカー５が設けられている。
【００１１】
溝蓋２は、溝蓋本体６とかさ上げ部材７を備えて構成されている。溝蓋本体６は、グレーチング（格子）式のものであって、平鋼からなる主部材８を幅方向を上下にして所定間隔に配設し、その長手方向両端にエンドプレート９として平鋼を溶接固定し、更に主部材８に交差させてスクリューバーからなる横部材１０を主部材８同様に所定間隔に配設するとともに、プロジェクション溶接により横部材１０を主部材８の間に押し込むように且つ面一となるように溶接して製造したものである。なお、前後のエンドプレート９と左右端の主部材８とにより外枠が構成されている。
【００１２】
そして、上記溝蓋本体６の四隅の主部材８，８間の底側には、本例では次の如き構成の係合部材１１が設けられている。即ち、主部材８，８間のほぼ中央部に該当する位置に管壁に上下方向の貫通孔１２，１３を有する角パイプ製の補助部材１４が溶接固定されている。この補助部材１４の下側の貫通孔１３には、一端に締付け部材１５が角孔１６によって非回転に設けられ、他端側にネジ部１７とドライバー掛け１８が形成されている回動軸１９が、底側から挿通されると共に前記ネジ部１７にナット２０を締めて回動可能に取付けられている。なお、回動軸１９にはドライバー掛け１８を形成したが、これに代えて、特に限定するものではないが、一般に回動要具として使用されているボックスレンチに対応する、横断面形状が六角形などの多角形の溝、あるいは突起形状を形成してもよい。
【００１３】
また、上記締付け部材１５は、図３に示すように、本例では約１／３を切除した円形の容器形状をしており、回動軸１９を取付ける側の容器の縁部２１は、その高さが階段状に勾配を有するように形成されている。そして、回動軸１９が切除側に偏心して取付けられている。なお、締付け部材１５は、前記形態の他に種々の形態が想定できる。また、中心部には角孔１６を設けこの角孔１６によって回動軸１９に非回転に設けたが、点溶接など適宜の手段を用いて非回転に設けることができる。
【００１４】
かさ上げ部材７は、金属製の角パイプであって、Ｕ字溝１のケミカルアンカー５に対応する位置の管壁に上下方向の貫通孔２２，２３が形成されるとともに、Ｕ字溝１の内側になる側の管外面に係止部材となる突起部２４を有する係止金具２５が溶接固定されている。
【００１５】
上記の構成のＵ字溝への溝蓋の取付け構造は、次の要領で施行される。即ち、道路などの側溝として設置されたＵ字溝１の蓋受け段部４の上にかさ上げ部材７を、下側の貫通孔２３にケミカルアンカー５を挿通させて載置し、上側の貫通孔２２を介してナット２６を締付け固定する。次いで、かさ上げ部材７の上に溝蓋本体６を載置するとともに、かさ上げ部材７の係止金具２５に対応する溝蓋本体６の係合部材１１の回動軸１９を上方よりドライバーを挿入して回転させ、締付け部材１５の縁部２１の上面と係止金具２５の突起物２４の下面とを係合させて取付ける。
【００１６】
従って、上記Ｕ字溝への溝蓋の取付け構造によれば、溝蓋本体６とかさ上げ部材７はＵ字溝１へ取付けるまでは別々に取り扱うことができるので、個々の重量での扱いとなるため、重量を軽くでき、運搬はもとよりＵ字溝１への取付けの際の取り扱いも容易となる。また、かさ上げ部材７は、Ｕ字溝１の蓋受け段部４にケミカルアンカー５を介して取付け、このようにして取付けられたかさ上げ部材７の係止金具２５に溝蓋本体６の締付け部材１５を係合させることで、溝蓋本体６をかさ上げ部材７の上面に着脱可能に取付けできるので、溝蓋本体６とかさ上げ部材７を備える溝蓋２がＵ字溝１に強固に取付けられ、溝蓋２上を自動車などの車両が走行しても、溝蓋２が跳ね上がったり、ガタツクことも防止できる。また、締付け部材１５を係止金具２５から外すことで溝蓋本体６のみをＵ字溝１から取外すことができるので、Ｕ字溝１内にごみなどが溜まるようなことがあっても掃除が簡単にできる。
【００１７】
なお、上記の実施形態では、ケミカルアンカー５をＵ字溝の製作後に設ける場合を例に説明したが、本発明はこの例に限定されるものではなく、コンクリートを打設してＵ字溝を製作する際にアンカー５を先に埋め込んで設けるようにしてもよい。
【００１８】
また、アンカー５をかさ上げ部材７を構成する角パイプの内側でナット締めする例としたが、角パイプの上でナット締めするようにしてもよい。
【図面の簡単な説明】
【００１９】
【図１】本発明に係るＵ字溝への溝蓋の取付け構造の説明図であって、ａは上面図、ｂはａのＸ−Ｘ断面図である。
【図２】図１のＹ部拡大説明図である。
【図３】本発明に係る締付け部材の説明図であって、ａは上面図、ｂは断面側面図である。
【符号の説明】
【００２０】
１：Ｕ字溝              ２：溝蓋                ３：上部開口
４：溝受け段部          ５：ケミカルアンカー    ６：溝蓋本体
７：かさ上げ部材        ８：主部材              ９：エンドプレート
１０：横部材            １１：係合部材          １２、１３：貫通孔
１４：補助部材          １５：締付け部材        １６：角孔
１７：ネジ部            １８：ドライバー掛け    １９：回動軸
２０：ナット            ２１：縁部              ２２，２３：貫通孔
２４：突起部            ２５：係止金具          ２６：ナット
【図１】
2005188223.tif 000003
【図２】
2005188223.tif 000004
【図３】
2005188223.tif 000005